(57)【要約】【課題】刈り取り対象物と非刈り取り対象物とが混在した領域において、刈り取り対象物を選択的に刈り取ることができるとともに、刈り取り対象物とは異なる障害物に接触した場合であっても、当該障害物及び草刈刃の双方の破損を防止することができる草刈刃を提供する。【解決手段】円周方向に回転可能な円板状の草刈刃１であって、回転用の動力が伝達される回転軸部１１と、回転軸部１１の周囲に配置された外周部１２と、回転軸部１１と外周部１２との間に半径方向に沿って設けられ、草刈刃１の回転方向Ｘに進行する刃先１４ａ〜１４ｆを有する複数の切断スポーク１３ａ〜１３ｆとを備える。【選択図】図２
2017093338.tif 000002
【特許請求の範囲】
【請求項１】
円周方向に回転可能な円板状の草刈刃であって、
回転用の動力が伝達される回転軸部と、
前記回転軸部の周囲に配置された外周部と、
前記回転軸部と前記外周部との間に半径方向に沿って設けられ、前記草刈刃の回転方向に進行する刃先を有する複数の切断スポークと、
を備えることを特徴とする草刈刃。
【請求項２】
前記複数の切断スポークのそれぞれの前記刃先が、前記草刈刃の回転方向において互いにずれた位置を通過するように設けられていることを特徴とする請求項１に記載の草刈刃。
【請求項３】
中空状の操作アームと、
前記操作アームの一端に取り付けられた原動機と、
前記操作アームの他端に取り付けられ、前記原動機からの動力が前記操作アームの中空部を介して伝達されるヘッドと、
前記ヘッドに回転自在に取り付けられ、円周方向に回転可能な円板状の草刈刃であって、前記ヘッドから回転用の動力が伝達される回転軸部と、前記回転軸部の周囲に配置された外周部と、前記回転軸部と前記外周部との間に半径方向に沿って設けられ、前記草刈刃の回転方向に進行する刃先を有する複数の切断スポークとを有する草刈刃と、
を備えることを特徴とする草刈機。
【請求項４】
前記操作アームの他端に前記ヘッドが複数設けられ、前記複数のヘッドに前記草刈刃が複数取り付けられていることを特徴とする請求項３に記載の草刈機。
【発明の詳細な説明】
【技術分野】
【０００１】
本発明は、草刈刃及びこれを用いた草刈機に関する。
【背景技術】
【０００２】
従来、家庭の芝生や菜園、道路脇、田んぼの畦、農場又は山林等においては、草刈刃を取り付けた草刈機を用いて、雑草や芝生、小径木等を刈り取る草刈作業が行われる。草刈機に使用される草刈刃としては、円盤状部材の外周部に多数の刃先（切断用チップ）を設けた草刈刃の構造が知られている（例えば、特許文献１参照）。
【先行技術文献】
【特許文献】
【０００３】
【特許文献１】特開２００９−１８３２４１号公報
【発明の概要】
【発明が解決しようとする課題】
【０００４】
しかしながら、特許文献１に記載の外周部に刃先を設けた草刈刃を取り付けた草刈機を用いて、刈り取るべき対象である雑草と、刈り取らないようにしたい観賞用又は販売用等の草花とが混在した領域においては、雑草のみを刈り取ろうとしても、雑草とともにその近傍にある草花も草刈刃の刃先に接触して切断され易い。このように、雑草等の刈り取り対象物と、草花等の非刈り取り対象物とが混在した領域において、刈り取り対象物だけを選択的に刈り取ることは困難である。
【０００５】
また、特許文献１に記載の外周部に刃先を設けた草刈刃を取り付けた草刈機を用いた草刈作業中に、草刈刃の刃先が、塀や庭木、石、フェンス等の比較的硬い物体（障害物）に接触すると、接触した障害物を破損させたり、或いは草刈刃自体が破損したりするという問題があった
【０００６】
上記問題点を鑑み、本発明は、刈り取り対象物と非刈り取り対象物とが混在した領域において、刈り取り対象物を選択的に刈り取ることができるとともに、塀や庭木、石、フェンス等の障害物に接触した場合であっても、当該障害物及び草刈刃の双方の破損を防止することができる草刈刃及びこれを用いた草刈機を提供することを目的とする。
【課題を解決するための手段】
【０００７】
本発明の第１の態様は、円周方向に回転可能な円板状の草刈刃１であって、（a）回転用の動力が伝達される回転軸部と、（b）回転軸部の周囲に配置された外周部と、（c）回転軸部と外周部との間に半径方向に沿って設けられ、草刈刃の回転方向に進行する刃先を有する複数の切断スポークとを備える草刈刃であることを要旨とする。そして、第１の態様に係る草刈刃では、刈り取り対象物と非刈り取り対象物とが混在した領域において、刈り取り対象物を選択的に刈り取ることができるとともに、塀や庭木、石、フェンス等の障害物に接触した場合であっても、当該障害物及び草刈刃の双方の破損を防止することができる。
【０００８】
本発明の第２の態様は、（a）中空状の操作アームと、（b）操作アームの一端に取り付けられた原動機と、（c）操作アームの他端に取り付けられ、原動機からの動力が操作アームの中空部を介して伝達されるヘッドと、（ｄ）ヘッドに回転自在に取り付けられ、円周方向に回転可能な円板状の草刈刃であって、ヘッドから回転用の動力が伝達される回転軸部と、回転軸部の周囲に配置された外周部と、回転軸部と外周部との間に半径方向に沿って設けられ、草刈刃の回転方向に進行する刃先を有する複数の切断スポークとを有する草刈刃とを備える草刈機であることを要旨とする。そして、第２の態様に係る草刈機では、刈り取り対象物と非刈り取り対象物とが混在した領域において、刈り取り対象物を選択的に刈り取ることができるとともに、塀や庭木、石、フェンス等の障害物に接触した場合であっても、当該障害物及び草刈刃の双方の破損を防止することができる。
【発明の効果】
【０００９】
本発明によれば、刈り取り対象物と非刈り取り対象物とが混在した領域において、刈り取り対象物を選択的に刈り取ることができるとともに、塀や庭木、石、フェンス等の障害物に接触した場合であっても、当該障害物及び草刈刃の双方の破損を防止することができる草刈刃及びこれを用いた草刈機を提供することができる。
【図面の簡単な説明】
【００１０】
【図１】本発明の実施の形態に係る草刈機の一例を示す模式的な斜視図である。
【図２】図２（ａ）は、本発明の実施の形態に係る草刈刃の一例を示す模式的な上面図であり、図２（ｂ）は、図２（ａ）のＡ−Ａ切断面からみた断面図である。
【図３】本発明の実施の形態に係る草刈刃をヘッドに取り付ける方法を説明するための草刈刃周辺の模式的な断面図である。
【図４】本発明の実施の形態に係る刈り取り対象物の一例を示す模式的な概略図である。
【図５】本発明の実施の形態に係る草刈機を用いた草刈方法の一例を説明するための模式的な概略図である。
【図６】本発明の実施の形態の第１の変形例に係る草刈刃の一例を示す模式的な上面図である。
【図７】本発明の実施の形態の第２の変形例に係る草刈機の一例を示す模式的な上面図である。
【図８】図８（ａ）〜図８（ｃ）のそれぞれは、本発明のその他の実施の形態に係る草刈刃の一例を示す模式的な上面図である。
【図９】図９（ａ）及び図９（ｂ）のそれぞれは、本発明のその他の実施の形態に係る草刈刃の一例を示す模式的な断面図である。
【発明を実施するための形態】
【００１１】
次に、図面を参照して、本発明の実施の形態並びに第１及び第２の変形例を説明する。以下の図面の記載において、同一又は類似の部分には同一又は類似の符号を付している。但し、図面は模式的なものであり、厚みと平面寸法との関係、厚みの比率等は現実のものとは異なることに留意すべきである。又、図面相互間においても互いの寸法の関係や比率が異なる部分が含まれていることは勿論である。
【００１２】
又、以下に示す実施の形態並びに第１及び第２の変形例は、本発明の技術的思想を具体化するための装置や方法を例示するものであって、本発明の技術的思想は、構成部品の材質、形状、構造、配置等を下記のものに特定するものではない。本発明の技術的思想は、特許請求の範囲に記載された請求項が規定する技術的範囲内において、種々の変更を加えることができる。
【００１３】
本発明の実施の形態に係る草刈機は、図１に示すように、中空状の操作アーム３と、操作アーム３の一端に取り付けられた原動機（モータ）４と、操作アーム３の他端に取り付けられ、原動機４からの動力が操作アーム３の中空部を介して伝達されるヘッド２と、ヘッド２に回転自在に取り付けられ、円周方向に回転可能な円板状の草刈刃（回転鋸）１とを備える。
【００１４】
操作アーム３の長手方向の中央付近には、作業者により把持可能な把持部（ハンドル）５が固定されている。把持部５の形状は特に限定されず、図１に示すように屈曲していてもよく、或いは直線状であってもよい。把持部５には、原動機４のオン・オフの切り替えや回転速度の調節を行う操作部（レバー）６が設けられている。操作アーム３には更に、作業者が装着可能なストラップ７が取り付けられている。なお、図示を省略するが、操作アーム３の草刈刃１が取り付けられた一端側には、草刈刃１の一部を覆うように防護カバーが設けられていてもよい。
【００１５】
操作アーム３の中空部内には、原動機４の出力軸に連結された動力伝達軸（図示省略）が設けられている。草刈作業時には、原動機４を駆動して出力軸を回転させることにより、操作アーム３内の動力伝達軸を回転させ、これと連動して草刈刃１を回転させる。
【００１６】
草刈刃１は、例えば回転面が平坦となる円板形状を有する。草刈刃１の直径は例えば１００ｍｍ〜３００ｍｍ程度の範囲で、厚さは０．５ｍｍ〜３ｍｍ程度の範囲であり、それぞれ適宜設定可能である。草刈刃１の材料としては、ステンレス鋼や炭素工具鋼鋼材（ＳＫ材）、プラスチック等が使用可能である。
【００１７】
本発明の実施の形態に係る草刈刃１は、図２（ａ）の矢印Ｘで示すように、上面からみたときに半時計回りに回転するものとする。草刈刃１は、図２（ａ）及び図２（ｂ）に示すように、ヘッド２から回転用の動力が伝達される回転軸部１１と、回転軸部１１の周囲に回転軸部１１とは離間して配置された環状の外周部１２と、回転軸部１１と外周部１２の間に半径方向に沿って放射状に設けられた複数（６つ）の切断スポーク１３ａ〜１３ｆとを備える。
【００１８】
なお、本発明の実施の形態に係る草刈刃１が６つの切断スポーク１３ａ〜１３ｆを有する場合を一例として説明するが、少なくとも１つ以上の切断スポークを有していればよく、切断スポークの数は特に限定されない。即ち、本発明の実施の形態に係る草刈刃１は、５つ以下の切断スポークを有していてもよく、７つ以上の切断スポークを有していてもよい。
【００１９】
回転軸部１１、外周部１２及び複数の切断スポーク１３ａ〜１３ｆは、同一の部材から一体的に形成されていてもよい。この場合、本発明の実施の形態に係る草刈刃１は、例えば、１枚の鋼板を円盤形状に打ち抜いた後、レーザ加工により複数の切断スポーク１３ａ〜１３ｆの間の領域を切り抜くことにより形成することができる。或いは、回転軸部１１、外周部１２及び複数の切断スポーク１３ａ〜１３ｆは互いに異なる部材からなり、溶接等により互いに接合されていてもよい。
【００２０】
回転軸部１１は、図２（ａ）に示すように上面からみたときに例えば円形を有する。回転軸部１１には、ヘッド２に取り付けるための貫通孔１１ａが設けられている。回転軸部１１の直径は特に限定されず、適宜設定可能である。また、回転軸部１１の形状は特に限定されず、例えば多角形状であってもよい。
【００２１】
複数の切断スポーク１３ａ〜１３ｆは、中心Ｏに対して放射状に等間隔（切断スポーク１３ａ〜１３ｆが６つの場合は６０°毎）に設けられている。複数の切断スポーク１３ａ〜１３ｆは、草刈刃１を回転方向Ｘに高速回転させたときに、切断スポーク１３ａ〜１３ｆの回転領域に入り込んだ雑草等の刈り取り対象物を切断して刈り取る機能を有する。
【００２２】
複数の切断スポーク１３ａ〜１３ｆは、草刈刃１の回転方向Ｘに進行する刃先１４ａ〜１４ｆをそれぞれ有する。刃先１４ａ〜１４ｆは、草刈刃１の回転方向Ｘに対して前方側に位置する切断スポーク１３ａ〜１３ｆ本体の側面にそれぞれ設けられている。刃先１４ａ〜１４ｆは、例えば切断スポーク１３ａ〜１３ｆの側面をレーザ加工等により鋭利に削ることにより形成してもよい。或いは、刃先１４ａ〜１４ｆは、例えば超硬合金やバナジウム鋼等の金属等の切断スポーク１３ａ〜１３ｆとは異なる部材からなり、切断スポーク１３ａ〜１３ｆ本体に溶接等により接合してもよく、取り換え可能に切断スポーク１３ａ〜１３ｆ本体にネジ止めにしてもよい。
【００２３】
複数の切断スポーク１３ａ〜１３ｆの回転方向Ｘに直交する方向（半径方向）のラジアル長Ｌは特に限定されず、適宜設定可能である。複数の切断スポーク１３ａ〜１３ｆの半径方向に直交する方向の幅Ｗは、図２（ａ）に示すように半径方向全体に亘り一定であってもよいが、これに特に限定されず、草刈刃の中心Ｏから外側へ亘って拡大してもよく、或いは狭くなっていてもよい。
【００２４】
複数の切断スポーク１３ａ〜１３ｆは、図２（ａ）に示すように互いに同一の形状を有していてもよいが、これに特に限定されず、互いに異なる形状を有していてもよい。複数の切断スポーク１３ａ〜１３ｆの回転方向Ｘの間隔は、図２（ａ）に示すように等間隔であってもよいが、これに特に限定されず、互いに異なる間隔であってもよい。
【００２５】
外周部１２は、非刈り取り対象物である草花等を押し分ける機能を有するとともに、塀や石等の比較的硬い物体（障害物）に接触したときに接触した障害物及び切断スポーク１３ａ〜１３ｆの破損を防止する機能を有する。外周部１２の内径及び外径は特に限定されず、適宜設定可能である。図２（ｂ）に示すように、外周部１２の外周面（端部）の上面に直交する方向の断面は、例えば直線状であるが、これに特に限定されない。
【００２６】
次に、図３を参照して、上述した草刈刃１を草刈機本体のヘッド２に取り付ける方法の一例を説明する。ヘッド２は、ワッシャ部２１と、ワッシャ部２１の内側に設けられ、操作アーム内の動力伝達軸に連結する出力軸２２を有する。草刈刃１をヘッド２に取り付ける際には、草刈刃１の回転軸部１１の貫通孔１１ａに出力軸２２を挿入して、回転軸部１１をワッシャ部２１に接触させる。この状態で、出力軸２２に設けられた螺子部分とナット２３とを締結することにより、草刈刃１がワッシャ部２１及び出力軸２２に固定される。この結果、草刈刃１がヘッド２に回転自在に保持され、ヘッド２の出力軸２２の回転と連動して草刈刃１が回転可能となる。
【００２７】
次に、図４及び図５を参照しながら、本発明の実施の形態に係る草刈機を用いた草刈り方法の一例を説明する。ここでは、図４に示すように、刈り取り対象物である雑草１０１と、非刈り取り対象物である観賞用又は販売用等の草花１０２とが混在した領域において、刈り取り対象物である雑草１０１を選択的に刈り取る場合を一例として説明する。雑草１０１の平均的な高さＨ１は、草花１０２の平均的な高さＨ２よりも低いものとする。雑草１０１の平均的な高さＨ１及び草花１０２の平均的な高さＨ２は特に限定されない。また、雑草１０１及び草花１０２のそれぞれの種類、本数、密度や、雑草１０１と草花１０２との位置関係は特に限定されない。
【００２８】
まず、図５に示すように、作業者が、本発明の実施の形態に係る草刈機１０のストラップ７を肩に掛け、把持部５を把持して、操作部６を操作することにより、原動機４が駆動する。原動機４の出力軸２２の回転と連動して操作アーム３内の動力伝達軸が回転し、更にこれと連動して草刈刃１が高速回転する。
【００２９】
草刈刃１が高速回転した状態で、図５に示すように、作業者は雑草１０１の高さＨ１及び草花１０２の高さＨ２よりも低い高さＨ０で、草刈刃１を略水平方向に移動させる。この際、草刈刃１の外周部１２が草花１０２と接触するが、草刈刃１の外周部１２には刃先が設けられていないため、草花１０２は切断され難く、撓んで押し分けられる。
【００３０】
一方、草花１０２よりも低い高さＨ１の雑草１０１は、草刈刃１の外周部１２に押されて撓んでから、外周部１２内側の切断スポーク１３ａ〜１３ｆが高速回転している領域に入り込むため、切断スポーク１３ａ〜１３ｆの刃先１４ａ〜１４ｆにより切断され刈り取られる。なお、草刈刃１を移動させる高さ（換言すれば、雑草１０１を刈り取る高さ）Ｈ０は、適宜選択可能であり、切断スポーク１３ａ〜１３ｆが高速回転している領域に草花１０２が入り込まない範囲内で草刈刃１を高さ方向に上下させてもよい。また、図３に示した草刈刃１の下面側から突出する出力軸２２の長さによっても草刈刃１を移動させる高さＨ０を調整することができる。例えば、草花１０２を押し分けつつ、草刈刃１を雑草１０１の上方から被せるように下降させて雑草１０１を刈り取ってもよい。
【００３１】
また、草刈作業中に、草刈刃１の外周部１２が、庭木や塀、フェンス、石等の障害物に不意に接触してしまった場合でも、草刈刃１の外周部１２には刃先が設けられていないため、接触した障害物の破損のみならず、草刈刃１自体の破損を防止することができる。
【００３２】
以上説明したように、本発明の実施の形態によれば、外周部１２には刃先を設けず、外周部１２の内側に切断スポーク１３ａ〜１３ｆを設けることにより、雑草１０１等の刈り取り対象物近傍の草花１０２を押し分けて刈り取り対象物のみを選択的に切断し刈り取ることが可能となる。更には、草刈刃１が塀や庭木、石、フェンス等の障害物に接触した場合でも当該接触した障害物や草刈刃１の刃先１４ａ〜１４ｆの破損を抑制することができる。
【００３３】
更に、外周部１２の内側に放射状に切断スポーク１３ａ〜１３ｆを設けたので、切断スポーク１３ａ〜１３ｆと作業者の接触を抑制することができる。また、草刈刃１の外周部１２には刃先がないので、従来の草刈刃のように外周部の刃先が押し戻されて作業者に接触する事故（キックバック）の発生を抑制することができる。したがって、草刈作業の安全性を向上させることができる。更には、切断スポーク１３ａ〜１３ｆの間には空間が設けられるため、草刈刃１の材料費を削減することができ、且つ軽量化を図ることができる。
【００３４】
（第１の変形例）
本発明の実施の形態の第１の変形例に係る草刈刃１は、図６に示すように、放射状に設けられた複数（４つ）の切断スポーク１３ａ〜１３ｄが、回転方向Ｘに直交する方向（半径方向）において部分的に刃先（切断用チップ）１４ａ〜１４ｄを有する点が、図２（ａ）に示した構成と異なる。
【００３５】
図６においては説明上便宜的に、草刈刃１の中心Ｏからの距離Ｄ１，Ｄ２，Ｄ３の同心円Ｃ１，Ｃ２，Ｃ３を破線で示している。また、回転軸部１１の外周が草刈刃１の中心Ｏからの距離Ｄ０に位置しており、外周部１２の内周が草刈刃１の中心Ｏからの距離Ｄ４に位置している。
【００３６】
刃先１４ａ〜１４ｄは、回転方向Ｘにおいて互いにずれた位置を通過するように設けられることが好ましい。例えば図６では、刃先１４ａ〜１４ｄはそれぞれ、回転方向Ｘにおいて互いにずれた位置を通過するように、草刈刃１の中心Ｏからの距離Ｄ０〜Ｄ１，Ｄ１〜Ｄ２，Ｄ２〜Ｄ３，Ｄ３〜Ｄ４の範囲に設けられている。なお、刃先１４ａ〜１４ｄは、回転方向Ｘにおいて互いに重複する位置を部分的に通過してもよく、回転方向Ｘにおいて刃先１４ａ〜１４ｄのいずれもが通過しない位置があってもよい。
【００３７】
本発明の実施の形態の第１の変形例によれば、刃先１４ａ〜１４ｄが、草刈刃１の回転方向Ｘにおいて互いにずれた位置を通過するように、切断スポーク１３ａ〜１３ｄの半径方向に部分的に設けられることにより、刈り取り対象物を効率よく刈り取ることができる。また、石等の草刈刃１を移動させる高さＨ０に近い背の低い障害物が存在するとき、刃先１４ａ〜１４ｄの存在しない箇所の切断スポーク１３ａ〜１３ｄに障害物が当たることにより草刈刃１が浮くので、刃先１４ａ〜１４ｄの損傷を軽減することができる。更に、刃先１４ａ〜１４ｄを切断スポーク１３ａ〜１３ｄの半径方向に部分的に設けるので、切断スポーク１３ａ〜１３ｄの半径方向全体に設ける場合と比較して安価となる。
【００３８】
（第２の変形例）
本発明の実施の形態の第２の変形例に係る草刈機は、図７に示すように、複数（２つ）の草刈刃１ａ，１ｂを備える点が、図１に示した構造と異なる。
【００３９】
操作アーム３の先端には二股部３ａが設けられており、二股部３ａには２つのヘッド２ａ，２ｂが取り付けられている。２つのヘッド２ａ，２ｂに２つの草刈刃１ａ，１ｂがそれぞれ回転自在に保持される。
【００４０】
本発明の実施の形態の第２の変形例によれば、２つの草刈刃１ａ，１ｂを備えることにより、１つの草刈刃を備える場合と比較して刈り取り対象物を効率的に刈り取ることができる。なお、図７では２つの草刈刃１ａ，１ｂを備えた場合を示したが、３つ以上の草刈刃を備えていてもよい。
【００４１】
（その他の実施の形態）
上記のように、本発明は実施の形態並びに第１及び第２の変形例によって記載したが、この開示の一部をなす論述及び図面は本発明を限定するものであると理解すべきではない。この開示から当業者には様々な代替実施の形態、実施例及び運用技術が明らかとなろう。
【００４２】
例えば、既に述べた本発明の実施の形態においては、図２（ａ）及び図２（ｂ）に示すように、６つの直線状の切断スポーク１３ａ〜１３ｆを説明したが、切断スポーク１３ａ〜１３ｆの数や形状はこれに限定されない。例えば図８（ａ）に示すように、回転方向Ｘの進行方向側に凸となる円弧状の４つの切断スポーク１３ａ〜１３ｆを有していてもよい。この場合、切断スポーク１３ａ〜１３ｆの刃先１４ａ〜１４ｆが刈り取り対象物と接触する長さが長くなるため、刈り取り対象物を効率的に刈り取ることができる。
【００４３】
また、図８（ｂ）に示すように、４つの切断スポーク１３ａ〜１３ｄが十字状に設けられていてもよい。また、図８（ｃ）に示すように、ピアノ線やナイロン製の紐（ナイロンカッター）等からなる細線状（紐状）の切断スポーク１５ａ〜１５ｄであってもよい。この場合、切断スポーク１５ａ〜１５ｄ自体が刃先となる。また、回転軸部１１及び外周部１２としてはそれぞれ個別の部材を用意し、細線状の切断スポーク１５ａ〜１５ｄを取り付け可能なようにフックを設けたりすればよい。
【００４４】
また、図２（ｂ）に示すように、外周部１２の外周面（端部）の上面に直交する断面が直線状である場合を説明したが、外周部１２の外周面の断面形状はこれに限定されない。例えば、図９（ａ）に示すように、外周部１２の外周面の断面形状が外側に凸となるような曲面であってもよい。また、図９（ｂ）に示すように、外周部１２が円柱状であってもよい。図９（ａ）及び図９（ｂ）に示すような外周部１２を有することにより、外周部１２が草花を押し分けるときに、草花との接触がより柔軟となり、草花の損傷を緩和することができる。更には、外周部１２が塀や石等の障害物に接触した場合でも、接触した障害物の損傷を緩和することができる。
【００４５】
また、本発明の実施の形態においては、図４に示すように刈り取り対象物として雑草１０１を一例に説明したが、刈り取り対象物はこれに限定されず、芝草や小径木であってもよい。更には、刈り取り対象物は、植物以外の切断スポーク１３ａ〜１３ｆで切断可能な程度の強度及び大きさを有する物体であってもよい。また、非刈り取り対象物として、草花１０２を一例として説明したが、非刈り取り対象物は草花１０２等の植物に特に限定されず、草刈機の外周部１２で押し分けることが可能な弾性体等の物体であってもよい。
【産業上の利用可能性】
【００４６】
本発明は、家庭の芝生や菜園、道路脇、田んぼの畦、農場又は山林等における草刈作業に使用される種々の草刈刃及びこれを用いた草刈機に利用可能である。
【符号の説明】
【００４７】
１，１ａ，１ｂ…草刈刃
２，２ａ，２ｂ…ヘッド
３…操作アーム
３ａ…二股部
４…原動機
５…把持部（ハンドル）
６…操作部
１０…草刈機
１１…回転軸部
１２…外周部
１３ａ，１３ｂ，１３ｃ，１３ｄ，１３ｅ，１３ｆ，１５ａ，１５ｂ，１５ｃ，１５ｄ…切断スポーク
１４ａ，１４ｂ，１４ｃ，１４ｄ，１４ｅ，１４ｆ…刃先
２１…ワッシャ部
２２…出力軸
２３…ナット
【図１】
2017093338.tif 000003
【図２】
2017093338.tif 000004
【図３】
2017093338.tif 000005
【図４】
2017093338.tif 000006
【図５】
2017093338.tif 000007
【図６】
2017093338.tif 000008
【図７】
2017093338.tif 000009
【図８】
2017093338.tif 000010
【図９】
2017093338.tif 000011